(57)【要約】【課題】タッチパネル装置への操作入力を高速かつ高セキュリティに実現すること。【解決手段】操作処理装置２の認証部２２が、位置検出部２１で検出された指領域の位置情報を撮影範囲としてタッチパネル装置１によって撮影された指画像データをタッチパネル装置１から受信すると、受信した指画像データを認証し、操作処理部２４が、認証部２２により認証が成功したときに、位置検出部２１が検出した位置情報に位置する操作対象への操作を操作認証管理テーブル２５から取得して出力する。【選択図】図１
2011087785.tif 000002
【特許請求の範囲】
【請求項１】
画面上に操作対象を表示してその画面を押下する操作者の指を撮影するタッチパネル装置に対して、操作者の指が押下されることで入力される操作を処理する操作処理装置であって、
前記操作処理装置は、位置検出部と、認証部と、認証用データベースと、操作処理部と、操作認証管理テーブルとを備え、
前記認証用データベースには、操作が許可されている一人以上の前記操作者の指の特徴情報が、操作者ごとに記憶されており、
前記操作認証管理テーブルには、前記タッチパネル装置の画面に表示される前記操作対象ごとに、その前記操作対象を押下することで出力される操作内容が対応づけられて記憶されており、
前記位置検出部は、前記操作者の指の前記タッチパネル装置の画面上での押下位置をもとに、前記操作者の指がタッチパネルに触れている画面上の指領域の位置情報を検出して前記タッチパネル装置に送信し、
前記認証部は、前記位置検出部で検出された指領域の位置情報を撮影範囲として前記タッチパネル装置によって撮影された指画像データを前記タッチパネル装置から受信すると、その受信した指画像データの特徴情報と、前記認証用データベース内の操作が許可されている者の特徴情報とを照合することにより、受信した指画像データを認証し、
前記操作処理部は、前記認証部により認証が成功したときに、前記位置検出部が検出した位置情報に位置する前記操作対象への操作を前記操作認証管理テーブルから取得して出力することを特徴とする
操作処理装置。
【請求項２】
前記認証部は、認証のために照合する前記操作者の指の特徴情報として、指静脈の情報を用いることを特徴とする
請求項１に記載の操作処理装置。
【請求項３】
前記操作認証管理テーブルには、前記操作対象ごとに認証の要否を示す情報が対応づけられており、
前記操作処理部は、前記操作認証管理テーブルに認証が不要と対応づけられている前記操作対象が押下されたときには、前記認証部の認証結果にかかわらず、前記操作対象への操作を前記操作認証管理テーブルから取得して出力することを特徴とする
請求項１または請求項２に記載の操作処理装置。
【請求項４】
前記操作認証管理テーブルには、前記操作対象ごとに操作権限を示す情報が対応づけられており、
前記操作処理部は、所定の前記操作対象について操作者の操作権限を特定した認証結果を前記認証部から受信すると、所定の前記操作対象とその操作権限が前記操作認証管理テーブルに対応づけられているときには、前記操作対象への操作を前記操作認証管理テーブルから取得して出力することを特徴とする
請求項１ないし請求項３のいずれか１項に記載の操作処理装置。
【請求項５】
前記操作処理装置は、さらに、現在の装置の状態を操作禁止状態または操作許可状態のいずれかの状態として管理し、前記操作禁止状態のときには前記操作処理部による操作の出力を禁止し、前記操作許可状態のときには前記操作処理部による操作の出力を許可し、前記操作禁止状態のときに前記認証部により認証が成功したときには、前記操作許可状態へと遷移することを特徴とする
請求項１ないし請求項４のいずれか１項に記載の操作処理装置。
【請求項６】
前記操作処理装置は、前記タッチパネル装置に対して前記操作者の指が押下がされたものの、前記認証部による認証が失敗したことにより、前記操作処理部から操作が出力されないときには、操作がキャンセルされた旨の通知を前記タッチパネル装置の画面に表示することを特徴とする
請求項１ないし請求項５のいずれか１項に記載の操作処理装置。
【請求項７】
画面上に操作対象を表示してその画面を押下する操作者の指を撮影するタッチパネル装置に対して、操作者の指が押下されることで入力される操作を処理する操作処理装置による操作処理方法であって、
前記操作処理装置は、位置検出部と、認証部と、認証用データベースと、操作処理部と、操作認証管理テーブルとを備え、
前記認証用データベースには、操作が許可されている一人以上の前記操作者の指の特徴情報が、操作者ごとに記憶されており、
前記操作認証管理テーブルには、前記タッチパネル装置の画面に表示される前記操作対象ごとに、その前記操作対象を押下することで出力される操作内容が対応づけられて記憶されており、
前記位置検出部は、前記操作者の指の前記タッチパネル装置の画面上での押下位置をもとに、前記操作者の指がタッチパネルに触れている画面上の指領域の位置情報を検出して前記タッチパネル装置に送信し、
前記認証部は、前記位置検出部で検出された指領域の位置情報を撮影範囲として前記タッチパネル装置によって撮影された指画像データを前記タッチパネル装置から受信すると、その受信した指画像データの特徴情報と、前記認証用データベース内の操作が許可されている者の特徴情報とを照合することにより、受信した指画像データを認証し、
前記操作処理部は、前記認証部により認証が成功したときに、前記位置検出部が検出した位置情報に位置する前記操作対象への操作を前記操作認証管理テーブルから取得して出力することを特徴とする
操作処理方法。
【請求項８】
請求項７に記載の操作処理方法を、コンピュータである前記操作処理装置に実行させるための操作処理プログラム。
【発明の詳細な説明】
【技術分野】
【０００１】
本発明は、操作処理装置、操作処理方法、および、操作処理プログラムの技術に関する。
【背景技術】
【０００２】
タッチパネル装置は、同じ画面上に表示機能と入力機能という２つの機能を備えており、直感的なユーザインタフェースとして普及している。
表示機能では、コンピュータなどの外部から受けた画像情報を液晶ディスプレイなどで表示する。
入力機能では、操作者がその画面に表示された絵やピクトグラム（絵文字）などの点または領域に手で触れたり、専用の「スタイラス」などと呼ばれるペンや一般のペンで圧力を加えたりすることにより、触れられた画面位置の情報を感知して外部へ情報信号として出力する。そして、出力された情報信号を受信した外部装置は、画面での位置情報に基づいて、操作者が望む適切な動作を実行する。
なお、従来は、１点のみ検出していた位置情報も、複数の点を検出できるマルチタッチスクリーンのタッチパネルが登場して、さらに操作性の向上が模索されている。
【０００３】
ところで、操作を入力する操作者を認証するための認証装置も、セキュリティ向上のために導入されることもある。
特許文献１には、表示機能を有する撮像装置を利用した認証装置が開示されている。この撮像装置は、表示部と光源と撮像部とが一体となった薄型の撮像装置である。そして、特許文献１の認証装置として、専用の撮影窓を介して指の静脈を撮影する、指静脈認証装置が用いられている。この指静脈認証装置により、パスワードや暗証番号を入力する手間を省くことができる。
【０００４】
特許文献２には、ディスプレイの上に検出素子アレイを配置し、被写体とディスプレイで検出素子アレイを挟んだ構造を成し、更に検出素子アレイの素子とディスプレイの素子を互い違いにし、検出素子アレイの素子間に光が通過できる構造を成す光源一体の撮像装置が開示されている。
特許文献３には、検出素子基板上に発光ユニット層を設けた光源一体の撮像装置が、開示されている。
【先行技術文献】
【特許文献】
【０００５】
【特許文献１】特開２００９−３８２１号公報
【特許文献２】特開２００５−２７６０３０号公報
【特許文献３】特開平５−１４６２０号公報
【発明の概要】
【発明が解決しようとする課題】
【０００６】
タッチパネル装置に触れて操作する装置において、その操作を許可するか否かを認証する場合もある。例えば、プラントの監視操作には、専門的な知識や、特定の権限が必要になるので、その操作を行った操作者が正規の操作者か否かを認証する必要がある。しかし、従来の技術では、タッチパネル装置へ入力される操作の認証について、充分ではなかった。
【０００７】
例えば、プラントの監視操作を行う度に認証してログインする必要があれば、そのログインのための認証処理が手間となってしまうため、常時監視や瞬時の操作に支障をきたす。例えば、操作者への負担として、操作をする度に認証用の撮影窓に指で触れることを強いてしまう。
【０００８】
また、一旦ログインしたらその後の操作を長時間有効にしておくと、複数人が不定期に同じ操作監視画面を使用する状況において、ログイン時の認証された操作者と、ログイン後の実際の操作者とが異なる場合には、認証されていない操作者からの操作入力を有効にしてしまうことが起こりうるため、セキュリティ上の問題がある。
【０００９】
そこで、本発明は、前記した問題を解決し、タッチパネル装置への操作入力を高速かつ高セキュリティに実現することを、主な目的とする。
【課題を解決するための手段】
【００１０】
前記課題を解決するために、本発明は、画面上に操作対象を表示してその画面を押下する操作者の指を撮影するタッチパネル装置に対して、操作者の指が押下されることで入力される操作を処理する操作処理装置であって、
前記操作処理装置が、位置検出部と、認証部と、認証用データベースと、操作処理部と、操作認証管理テーブルとを備え、
前記認証用データベースには、操作が許可されている一人以上の前記操作者の指の特徴情報が、操作者ごとに記憶されており、
前記操作認証管理テーブルには、前記タッチパネル装置の画面に表示される前記操作対象ごとに、その前記操作対象を押下することで出力される操作内容が対応づけられて記憶されており、
前記位置検出部が、前記操作者の指の前記タッチパネル装置の画面上での押下位置をもとに、前記操作者の指がタッチパネルに触れている画面上の指領域の位置情報を検出して前記タッチパネル装置に送信し、
前記認証部が、前記位置検出部で検出された指領域の位置情報を撮影範囲として前記タッチパネル装置によって撮影された指画像データを前記タッチパネル装置から受信すると、その受信した指画像データの特徴情報と、前記認証用データベース内の操作が許可されている者の特徴情報とを照合することにより、受信した指画像データを認証し、
前記操作処理部が、前記認証部により認証が成功したときに、前記位置検出部が検出した位置情報に位置する前記操作対象への操作を前記操作認証管理テーブルから取得して出力することを特徴とする。
その他の手段は、後記する。
【発明の効果】
【００１１】
本発明によれば、タッチパネル装置への操作入力を高速かつ高セキュリティに実現することができる。
【図面の簡単な説明】
【００１２】
【図１】本発明の一実施形態に関するプラント制御システムを示す構成図である。
【図２】本発明の一実施形態に関するプラント制御システムのタッチパネル装置を示す構成図である。
【図３】本発明の一実施形態に関するプラント制御システムの動作を示すフローチャートである。
【発明を実施するための形態】
【００１３】
以下、本発明の一実施形態を、図面を参照して詳細に説明する。
【００１４】
図１は、プラント制御システムを示す構成図である。プラント制御システムは、タッチパネル装置１と、操作処理装置２と、プラント制御装置３と、プラント機器４とが接続されて構成される。これらの各装置は、それぞれＣＰＵとメモリとネットワークインタフェースとを備えるコンピュータとして構成され、ＣＰＵがプログラムをメモリに読み込んで実行することにより、以下に説明する各処理部を実現する。
【００１５】
タッチパネル装置１は、操作者の指９が押下されることで、プラント機器４に対する制御信号を決定するための操作入力を受け付ける。タッチパネル装置１は、タッチパネル１１と、透明導電膜１２と、撮像装置１３とを有する。
なお、タッチパネル装置１として、タッチパネル１１の画面を表示する画面表示機能と、その画面上に触れた指を撮影する機能とを併せて持たせる構成は、例えば、特表２００８−５２３４６０号公報に記載されている。なお、タッチパネル装置１の物理的構成の一例は、図２の説明で後記する。
プラント機器４は、バルブなどのプラントを構成する機器である。
プラント制御装置３は、プラント機器４に対する制御信号（例えば、バルブを閉める制御）を出力したり、プラント機器４が出力したプラントデータを受け取ったりする。タッチパネル装置１は、プラント機器４が出力したプラントデータを表示することで、操作員に目視でプラント機器４の状態を確認させる。
【００１６】
操作処理装置２は、位置検出部２１と、認証部２２と、認証用データベース２３と、操作処理部２４と、操作認証管理テーブル２５とを有する。なお、操作処理装置２の各構成要素の一部または全部を、他の装置（タッチパネル装置１、プラント制御装置３）に具備させてもよい。
【００１７】
位置検出部２１は、透明導電膜１２の操作者の指９の押下位置をもとに、操作者の指９がタッチパネル１１に触れている画面上の領域（以下、指領域とする）の位置情報を検出する。位置検出部２１は、操作処理部２４に対して、検出した指領域を通知することにより、操作者の指９により入力される操作内容を特定させる。位置検出部２１は、撮像装置１３の撮像機構に対して、検出した指領域を通知することにより、その指領域に対応する光源を作動させ、操作者の指９を認証のために撮影させる。
【００１８】
なお、位置検出部２１は、操作者の指９から入力される画面上の位置について、変化量最大点となる点位置を検出する。一方、撮像装置１３は、操作者の指９の指紋を撮影するため、操作者の指９の画面上の領域位置（面位置）を取得する必要がある。
そこで、操作処理装置２は、操作者の指９の点位置から、操作者の指９の領域位置を特定する処理を実行する。この特定処理は、例えば、操作者の指９の点位置を中心として、あらかじめ統計値として、または、操作者ごとに登録しておいた人間の指の大きさ分を切り出すこととしてもよいし、操作者の指９の点位置を中心として撮像装置１３が撮影した画像データから、画像認識処理によって操作者の指９の領域位置を切り出すこととしてもよい。画像認識処理としては、例えば、操作者の指９の点位置の色情報と類似する色情報を有する画像領域を切り出す手法などが、挙げられる。
【００１９】
認証部２２は、撮像装置１３から撮影結果としての指紋データを受信すると、その指紋データを認証して、その認証結果を操作処理部２４に出力する。その認証処理は、受信した指紋データを検索キーとして、認証用データベース２３からその指紋データがあらかじめ登録されているか否かを検索し、登録されているときに認証を許可する処理である。
そのため、認証部２２は、撮像装置１３の撮影結果から指情報のデジタル画像を作成し、そのデジタル画像に対して信号処理を実施することで、指情報の特徴情報を取得し、認証用データベース２３にあらかじめ登録されている正規の操作者（保守員、管理者）ごとの指情報の特徴情報と比較する。
【００２０】
【表１】
2011087785.tif 000003
【００２１】
表１に示す操作認証管理テーブル２５は、タッチパネル装置１の画面上に表示される操作対象と、その操作対象への操作に認証が必要か否かを示す認証要否と、その操作を許可された権限を示す操作権限と、その操作の結果としてタッチパネル装置１の画面に反映される画面操作出力と、プラント制御装置３を介してプラント機器４に出力される機器操作出力とを対応づけて管理する。
例えば、１行目の「機器Ｘアイコン」の列は、「機器Ｘアイコンへの操作には認証が必要であり、その認証により管理者と判定された操作者からの操作を許可し、その操作によって、画面上の機器Ｘアイコンの表示色をグレーに変更するとともに、機器Ｘの電源をオフにする旨の制御信号の出力が実行される」旨のポリシを示す。
【００２２】
操作処理部２４は、操作認証管理テーブル２５に従って操作の可否を決定し、許可された操作の内容をプラント制御装置３を介してプラント機器４に出力する。
そのため、まず、操作処理部２４は、位置検出部２１から取得した操作位置情報をもとにして、操作認証管理テーブル２５の「操作対象」列に記載されている操作対象を特定する。この操作対象の特定処理は、例えば、操作対象のＩＤと、その操作対象の図形の位置情報との対応情報を、記憶手段に記憶しておき、その対応情報から操作位置情報に位置する図形の位置情報を検索することによって、実現できる。そして、操作処理部２４は、認証部２２から取得した認証結果をもとにして、その操作対象への操作の可否を決定する。
【００２３】
以下が、操作処理部２４による操作可否の決定処理のポリシの一例である。
手順（１）：操作認証管理テーブル２５の「認証要否」が「×不要」であるときには、認証結果の内容にかかわらず、操作を許可する。
手順（２）：操作認証管理テーブル２５の「認証要否」が「○要」であり、かつ、「操作権限」が設定されていないときには、認証結果として認証用データベース２３にあらかじめ登録されている任意の操作者に適合したときに、操作を許可する。
手順（３）：操作認証管理テーブル２５の「認証要否」が「○要」であり、かつ、「操作権限」が設定されているときには、認証結果として認証用データベース２３から特定された操作者の権限が、操作認証管理テーブル２５の「操作権限」に含まれているときに、操作を許可する。
手順（４）：前記の手順（１）〜手順（３）のいずれにも該当しないときには、操作を不可にする。なお、操作が不可とされたときには、操作不可の旨や、その原因（操作権限が無い、操作者として登録されていないなど）を画面に表示してから、操作イベントをキャンセルしてもよい。
【００２４】
図２（ａ）は、タッチパネル装置１の正面図を示す。
タッチパネル装置１には、操作者の指９が押下する操作対象の図形として、機器Ｘアイコン１０１と、機器Ｙアイコン１０２と、画面拡大ボタン１０３と、画面縮小ボタン１０４と、バルブＡアイコン１１０と、バルブＡ操作ウィンドウ１１１と、自動ボタン１１２と、手動ボタン１１３と、スライドバー１１４とが、それぞれ表示されている。これらの操作対象の図形は、操作認証管理テーブル２５に登録されている。例えば、機器Ｘアイコン１０１は、操作認証管理テーブル２５の１行目の「機器Ｘアイコン」に対応する。
なお、図２（ａ）は、操作者の指９がバルブＡ操作ウィンドウ１１１内の手動ボタン１１３を押した瞬間の状態を示している。
【００２５】
図２（ｂ）は、タッチパネル装置１の側面図を示す。タッチパネル装置１は、操作者の指９に近い上層から順に、タッチパネル１１、透明導電膜１２、撮像装置１３が重なって構成される。
【００２６】
タッチパネル１１は、操作者の指９が直接触れるパネルであり、透明導電膜１２は、撮像装置１３の固定（ガラス）基板上に、銀ペースト電極を持った２層の透明導電膜１２（Ｘ層とＹ層）として設置されている。タッチパネル１１の最上層は十分な柔軟性を持ち、表面が押されたときには、２層の透明導電膜１２が接触するようにその部分がへこむ。
つまり、操作者の指９でタッチパネル１１の表面（最上層）を押すと２層の透明導電膜１２が接触する。すると、透明導電膜１２の両端の銀ペースト電極を介して電流が流れ、そのとき発生する電圧値をＡ／Ｄコンバータを利用してモニタすることで、操作者の指９の押下位置を検出する。
なお、前記したタッチパネル装置１は、透明導電膜１２を用いる抵抗膜方式として実現した。一方、抵抗膜方式の代わりに、表面弾性波方式、赤外線方式、静電容量方式などの他のタッチパネルの実現方式を用いてもよい。
【００２７】
撮像装置１３は、光源およびセンサを含めた撮像機構と画面表示機構とを同一筐体に設ける構成であり、例えば、特許文献１に記載されている撮像装置として、具体的に構成される。この画面表示機構は、プラント制御装置３から、プラントデータを周期的に取得し、プラント系統図などの画面表示情報と結びつけることで、タッチパネル装置１上にプラント状態を表示する。
【００２８】
図３は、プラント制御システムの動作を示すフローチャートである。
【００２９】
Ｓ１１として、タッチパネル装置１のタッチパネル１１および透明導電膜１２は、操作者の指９の押下を受け、その位置情報を位置検出部２１に送信する。なお、操作者の指９が押下される位置が、操作認証管理テーブル２５に登録されている操作対象の位置ではないときには、その押下が操作ではないので、無視してもよい。
Ｓ１２として、位置検出部２１は、Ｓ１１でタッチパネル装置１から受信した押下位置をもとに、操作者の指９の画面上での領域を特定し、その結果を撮像装置１３および操作処理部２４にそれぞれ送信する。
Ｓ１３として、撮像装置１３の撮像機構は、Ｓ１２で受信した操作者の指９の領域位置に光源を作動させ、操作者の指９を撮影する。ここで、光源を作動させる領域を操作者の指９の領域位置にすることで、画面上の任意の位置で指情報を撮影することができる。そして、撮像装置１３は、撮影結果である操作者の指９の指紋データを、認証部２２に送信する。
【００３０】
Ｓ２１として、認証部２２は、Ｓ１３で受信した操作者の指９の指紋データについて、認証用データベース２３から検索することにより、操作者を認証する。そして、認証部２２は、認証結果を操作処理部２４に通知する。
具体的には、まず、認証部２２は、指静脈像の輪郭から指部分のみを切り出し、この切り出した結果の指部分の画像から指静脈に必要な空間周波数成分の画像を作成する。次に、認証部２２は、作成した画像について位置調整を行い、角度や位置の違いを補正する。そして、認証部２２は、補正した画像から個人認証で用いる指静脈の情報のみを抽出する。
そして、認証部２２は、抽出した指静脈の情報を特徴情報として、認証用データベース２３にあらかじめ登録してある特徴情報と比較することで、Ｓ１１で押下した操作者が登録済みの正規の操作者か否か、そして、その正規の操作者の中で与えられている操作権限を特定する。
【００３１】
Ｓ２２として、操作処理部２４は、Ｓ２１で受信した認証結果を基に、操作認証管理テーブル２５を参照して、Ｓ１２で通知された操作内容を許可するか否かを決定する。操作内容を許可するときにはＳ２３へ、操作内容を不可とするときにはＳ２４へ、それぞれ進む。
Ｓ２３として、操作処理部２４は、Ｓ１２で特定した操作者の指９の位置に存在する操作対象を操作認証管理テーブル２５から検索し、対応する操作内容（画面操作出力および機器操作出力）を実行する。
Ｓ２４として、操作不可の旨を画面に表示し、操作イベントをキャンセルする。
【００３２】
以上説明したプラント制御システムの動作は、入力される操作ごとに、その認証と操作出力とを行うため、操作者のログイン処理を不要とし、素早い操作を実現することができる。いわば、ログイン中の状態か否かという状態管理を行わない（ステートレスな）処理である。
【００３３】
一方、図３のステートレスな処理と、ログイン状態を管理する（ステートフルな）処理とを組み合わせることとしてもよい。例えば、操作処理装置２は、以下の２つの状態（１）、（２）を遷移させるような状態管理を実施してもよい。
【００３４】
状態（１）は、ログイン前に相当する、操作禁止状態である。位置検出部２１は、タッチパネル装置１上に表示されている操作対象を表現した図形の位置以外の位置を検出した場合、または、タッチパネル装置１上に指以外の物体（操作ペンなど）で触れた場合、その検出した位置情報を他の処理部に通知せずに廃棄する。位置検出部２１は、タッチパネル装置１上に表示されている操作対象を表現した図形の位置を検出した場合、その検出した位置情報を撮像装置１３に通知することで、撮像装置１３が撮影する操作者の指９の認証を認証部２２に実行させる。認証部２２は、認証が成功したときには、状態（２）へと遷移する。
【００３５】
状態（２）は、ログイン後に相当する、操作許可状態である。位置検出部２１は、タッチパネル装置１上に表示されている任意の位置を、任意の物体（指以外の物体を含む）で押下されたことを検出し、その検出した位置情報を他の処理部に通知することで、検出した操作内容を出力させる。ここで、操作処理装置２は、所定イベント（電源のリセットなど）や、所定時間の間に操作者の指９の認証が成功しなかったことなどを契機として、状態（１）へと遷移する。
【００３６】
以上説明したプラント制御システムでは、認証部２２が操作者の指９の押下ごとに認証を行うため、１回の操作者の指９の押下が、認証用の入力と操作用の入力とを兼ねることとなる。よって、認証用の入力によりログインしてから操作用の入力を行う方式に比べ、操作者の入力速度を向上させることができる上、複数の操作者がいるときでも各操作者の権限に応じた操作を許可することによって、セキュリティ強度の高い操作出力が可能となる。
【００３７】
なお、本実施形態では、操作対象をプラント（プラント制御装置３、プラント機器４）とするプラント制御システムを例に説明したが、タッチパネル装置１および操作処理装置２を、任意のシステムへの操作入力に用いてもよい。例えば、操作処理装置２は、ＡＴＭ（Automated Teller Machine）などの現金処理装置のユーザインタフェースとして用いてもよい。これにより、操作単位での認証を行うことができるので、正規ユーザによるログイン後の、不正ユーザの不正操作を抑制することができる。
【００３８】
さらに、認証部２２による操作者の指９の認証処理と、ＩＣカードなどによる本人確認処理とを組み合わせて、操作処理装置２は、操作の可否を決定してもよい。例えば、操作処理装置２にＩＣカードが差し込まれ、そのＩＣカードに書き込まれた本人認証用データの認証が成功したときには、そのＩＣカードが差し込まれている間は、認証部２２による認証処理を省略し、全ての操作入力を本人認証用データに対応する操作者のものからとみなすように制御する。
【００３９】
また、操作認証管理テーブル２５には、操作者の操作権限がリストアップされているが、同じ操作対象がタッチされたときに、認証部２２の認証結果としての操作者の操作権限ごとに異なった操作出力を行うこととしてもよい。
例えば、操作認証管理テーブル２５において、操作対象「バルブＡアイコン」の操作権限は、「保守員、管理者」に与えられており、画面操作出力には「バルブＡ操作ウィンドウを開く」が定義されている。
ここで、「保守員」が操作したときには、画面操作出力には「バルブＡ操作ウィンドウを開く」こととし、「管理者」が操作したときには、画面操作出力には「バルブＡ情報ウィンドウを開く」こととするように、操作認証管理テーブル２５に定義する。これにより、同じ操作であっても操作権限に見合った操作出力を実施できる。
【符号の説明】
【００４０】
１      タッチパネル装置
２      操作処理装置
３      プラント制御装置
４      プラント機器
９      操作者の指
１１    タッチパネル
１２    透明導電膜
１３    撮像装置
２１    位置検出部
２２    認証部
２３    認証用データベース
２４    操作処理部
２５    操作認証管理テーブル
【図１】
2011087785.tif 000004
【図２】
2011087785.tif 000005
【図３】
2011087785.tif 000006